(57)【特許請求の範囲】
【請求項１】
支持脚に立設され、内蔵したガススプリングにより高さが変えられるようになっている脚柱の上端に、座を支持する支基を設けた椅子における座の高さ調節装置であって、
前記ガススプリングの上端に、起立することによりガススプリングの伸縮を不能とし、傾倒させることによって、ガススプリングの伸縮を可能とする起倒式の操作部を設け、この操作部を、座の下方において、操作手段の操作により側方移動させられるようにした作動レバーにより起倒させるようにするとともに、前記作動レバーを、内部に弾性リクライニング機構を設けた前記支基の上壁の上面に沿って摺動しうるように、前記支基の上壁に突設した段付きねじと、この段付きねじが係合するようにして前記作動レバーに設けた長手方向を向く長孔とをもって案内するようにしたことを特徴とする椅子における座の高さ調節装置。
【請求項２】
支持脚に立設され、内蔵したガススプリングにより高さが変えられるようになっている脚柱の上端に、座を支持する支基を設けた椅子における座の高さ調節装置であって、
前記ガススプリングの上端に、起立することによりガススプリングの伸縮を不能とし、傾倒させることによって、ガススプリングの伸縮を可能とする起倒式の操作部を設け、前記支基の前部の一側方に、操作手段である操作レバーを左右方向を向く軸線まわりに回動可能として設け、前記操作レバーと一体の筒軸の外周部の上面に設けたほぼ軸線方向を向く長孔に、前記支基の上面に沿って前後方向に摺動自在に設けた作動レバーの前端に設けた下向きの折曲片を係合し、前記操作レバーの回動による前記作動レバーの前後方向の移動によって、前記操作部を、座の下方において、起倒させるようにしたことを特徴とする椅子における座の高さ調節装置。
【請求項３】
ガススプリングの操作部を、支基の後部中央に配設し、作動レバーを、その後部が支基の後部の中央に位置して前記操作部と係合し、かつ前部が操作レバー寄りに位置するように、平面視において前斜め側方に向けて配設し、さらに前記作動レバーの前端の折曲片が係合する長孔を、作動レバーの長手方向と直交するように、筒軸の軸線方向に対して斜めに設けたことを特徴とする請求項２記載の椅子における座の高さ調節装置。
【請求項４】
作動レバーの一端部に、ガススプリングの操作部である起倒式の作動ピンより大径の係合孔を穿設し、この係合孔に前記作動ピンを遊嵌させたことを特徴とする請求項１〜３のいずれかに記載の椅子における座の高さ調節装置。
【請求項５】
作動レバーの一部と支基の上面の一部との間に、操作部が起立する方向に作動レバーを付勢する復帰用のばねを設けた請求項１〜４のいずれかに記載の椅子における座の高さ調節装置。
【発明の詳細な説明】
【０００１】
【発明の属する技術分野】
本発明は、椅子における座の高さ調節装置に関する。
【０００２】
【従来の技術】
従来の座の高さ調節機能を有する椅子は、支持脚に立設した脚柱内に公知のガススプリングを設けて、脚柱を伸縮可能とし、その脚柱の上端に、座及び背凭れを支持する支基を固定し、この支基に、ガススプリングの上端より突出する出没式の作動ピン(操作部)を押動するレバーを枢着し、このレバーを、座の下方に設けた操作レバーと、ワイヤ等の連係手段を持って連係している。
【０００３】
【発明が解決しようとする課題】
上述のような従来の座の高さ調節装置においては、作動ピンを押し込むレバーを支基に装着したり、それと操作レバーとを、ワイヤ等の連係手段により連係しなければならず、構造が複雑で、組み付け作業が煩雑であるとともに、レバーの回動スペースを確保しなければならず、装置全体の占有スペースが大となって、座の下方の制約された狭い空間に収容するのが難しい等の問題がある。
【０００４】
本発明は、従来の技術が有する上記のような問題点に鑑み、構造が簡単で、特に装置全体の薄型化が可能であり、座の下方の制約された狭い空間内にも好適に収容することができ、しかも、簡単かつ安価に製造でき、円滑に作動できるようにした椅子における座の高さ調節装置を提供することを目的としている。
【０００５】
【課題を解決するための手段】
本発明によると、上記課題は、次のようにして解決される。
(１)  支持脚に立設され、内蔵したガススプリングにより高さが変えられるようになっている脚柱の上端に、座を支持する支基を設けた椅子における座の高さ調節装置であって、前記ガススプリングの上端に、起立することによりガススプリングの伸縮を不能とし、傾倒させることによって、ガススプリングの伸縮を可能とする起倒式の操作部を設け、この操作部を、座の下方において、操作手段の操作により側方移動させられるようにした作動レバーにより起倒させるようにするとともに、前記作動レバーを、内部に弾性リクライニング機構を設けた前記支基の上壁の上面に沿って摺動しうるように、前記支基の上壁に突設した段付きねじと、この段付きねじが係合するようにして前記作動レバーに設けた長手方向を向く長孔とをもって案内するようにする。
【０００６】
(２)  支持脚に立設され、内蔵したガススプリングにより高さが変えられるようになっている脚柱の上端に、座を支持する支基を設けた椅子における座の高さ調節装置であって、前記ガススプリングの上端に、起立することによりガススプリングの伸縮を不能とし、傾倒させることによって、ガススプリングの伸縮を可能とする起倒式の操作部を設け、前記支基の前部の一側方に、操作手段である操作レバーを左右方向を向く軸線まわりに回動可能として設け、前記操作レバーと一体の筒軸の外周部の上面に設けたほぼ軸線方向を向く長孔に、前記支基の上面に沿って前後方向に摺動自在に設けた作動レバーの前端に設けた下向きの折曲片を係合し、前記操作レバーの回動による前記作動レバーの前後方向の移動によって、前記操作部を、座の下方において、起倒させるようにする。
【０００７】
(３)  上記(２)項において、ガススプリングの操作部を、支基の後部中央に配設し、作動レバーを、その後部が支基の後部の中央に位置して前記操作部と係合し、かつ前部が操作レバー寄りに位置するように、平面視において前斜め側方に向けて配設し、さらに前記作動レバーの前端の折曲片が係合する長孔を、作動レバーの長手方向と直交するように、筒軸の軸線方向に対して斜めに設ける。
【０００８】
(４)  上記(１)〜(３)項のいずれかにおいて、作動レバーの一端部に、ガススプリングの操作部である起倒式の作動ピンより大径の係合孔を穿設し、この係合孔に前記作動ピンを遊嵌させる。
【０００９】
(５)  上記(１)〜(４)項のいずれかにおいて、作動レバーの一部と支基の上面の一部との間に、操作部が起立する方向に作動レバーを付勢する復帰用のばねを設ける。
【００１０】
【発明の実施の形態】
以下、本発明の一実施形態を備える椅子について、添付図面を参照して説明する。
図１及び図２に示すように、中心部から放射状に延出する支持脚(１)の先端部には、キャスタ(２)がそれぞれ設けられ、支持脚(１)の中心部には、伸縮式の脚柱(３)が立設され、かつ脚柱(３)の上端には、支基(４)が固着されている。
【００１１】
支基(４)には、側面視Ｌ字状をなして後上方に延出し、背凭れ(５)を支持する左右１対の背杆(６)における前方を向く下部の前端が、左右方向を向く軸線まわりに回動可能として枢着され、背凭れ(５)及び背杆(６)は、支基(４)内に設けられた弾性リクライニング機構(図示略)により、図１に示すような起立位置から後方へ傾動しうるようになっている。
【００１２】
支基(４)の上方には、座(７)が、座受体(８)を介して、背凭れ(５)及び背杆(６)の後傾に連動して、後下方へ移動するようにして支持されている。なお、この座(７)の支持構造及びその背凭れ(５)との連係機構等は、本発明とは直接関係しないので、それらについての詳細な説明は省略する。
【００１３】
座受体(８)の両側部には、左右方向に延出する支杆(９)を介して、肘掛け(10)が設けられている。
【００１４】
次に、図１〜図３を参照して、本発明の座の高さ調節装置について説明する。  脚柱(３)は、支持脚(１)に立設された固定筒(11)と、上端部が支基(４)に固着され、固定筒(11)に対して上下動可能として外嵌する可動筒(12)とを備え、それらの中央部には、ガススプリング(13)が内蔵されている。
【００１５】
ガススプリング(13)は、上端部に上方に向かってわずかに縮径するテーパ部(14a)を有するシリンダ(14)と、その下端から下方に向かって進退するピストンロッド(15)とを備えている。
【００１６】
シリンダ(14)の上端中央には、真上に向かって起立することにより、シリンダ(14)からのピストンロッド(15)の進退を不能とし、いずれかの方向に所要角度傾倒させられることにより、シリンダ(14)からのピストンロッド(15)の進退を可能とするようにした起倒式の操作部をなす作動ピン(16)が設けられている。
【００１７】
この作動ピン(16)を傾倒させている間は、内蔵したばね(図示略)により、ピストンロッド(15)は常時シリンダ(14)から進出する方向に付勢されている。
【００１８】
ピストンロッド(15)の下端は、固定筒(11)の下端部に固定され、シリンダ(14)のテーパ部(14a)は、支基(４)の後部中央に穿設された上方に向かってわずかに縮径するテーパ孔(17)に圧嵌されている。このとき、作動ピン(16)の上端は、支基(４)の上面とほぼ等高をなしている。
【００１９】
(18)は、固定筒(11)の上端部内面に固着され、シリンダ(14)が上下動するのを案内するガイド筒である。
【００２０】
支基(４)は、下面が開口する箱状をなし、後部が上記のようにして脚柱(３)に支持されることにより、わずかに前上向き傾斜している。
支基(４)の両側壁(4a)の前後部には、外側方を向く前後１対ずつの筒体(19)(20)が一体的に形成されている。
【００２１】
後方の左右の筒体(20)には、左右の背杆(６)の前端部に固着した枢軸(図示略)が回転自在に枢支されている。
【００２２】
前方の右方の筒体(19)内には、操作レバー(21)と一体となって回動する筒軸(22)が枢支されている。筒軸(22)は、支基(４)の右方の側壁(4a)を貫通して、支基(４)内に突入し、支基(４)の上壁(4b)の右前部に形成された方形の窓孔(23)の直下における筒軸(22)の外周部の上面には、後述する作動レバー(25)の長手方向と直交する方向を向くように、筒軸(22)の軸線方向に対して傾斜する長孔(24)が形成されている。
【００２３】
作動レバー(25)の前後２個所と中間適所とには、長手方向を向く長孔(26)(27)が穿設されている。前後２個所の長孔(26)には、支基(４)の上面に螺着されたワッシャ(28)付きの段付きねじ(29)が係合し、作動レバー(25)は、両長孔(26)が段付きねじ(29)に対して移動しうる範囲内において、支基(４)の上面に沿って斜めに前後移動しうるように案内されている。
【００２４】
中間の長孔(27)内には、前端が作動レバー(25)における長孔(27)の前縁より起立する突片(30)に止着され、かつ後端が支基(４)の上面に突設されて、長孔(27)を挿通するピン(31)に止着された引張りコイルばね(32)が配設され、これにより、作動レバー(25)は、後方に向かって付勢され、常時は、長孔(26)の前縁が段付きねじ(29)に当接する後限(図３参照)に位置している。
【００２５】
作動レバー(25)の後端部中央には、ガススプリング(13)の作動ピン(16)より大径で、かつ下向きのボス(33)を有する係合孔(34)が形成されており、作動レバー(25)が後限に位置しているときは、この係合孔(34)のほぼ中央に作動ピン(16)の上部が位置するようにしてある。
作動レバー(25)の前端には、下向きの折曲片(35)が直角に折曲形成されており、この折曲片(35)は、支基(４)の窓孔(23)を通って、筒軸(22)の長孔(24)に係合している。
【００２６】
この実施形態においては、作動レバー(25)が後限に位置しているときは、作動ピン(16)は直上を向き、ガススプリング(13)におけるピストンロッド(15)は、シリンダ(14)に対してロックされた状態となっており、脚柱(３)は伸縮することはない。
【００２７】
この状態から、操作レバー(21)を図３における反時計方向に回動させると、長孔(24)に係合している折曲片(35)及びそれと一体の作動レバー(25)が、引張りコイルばね(32)の付勢力に抗して、その長手方向である前右方へ移動させられ、その後端部の係合孔(34)の後縁が作動ピン(16)に当接して、作動ピン(16)を前右方に傾倒させる。
【００２８】
すると、ガススプリング(13)のロック状態が解除され、ガススプリング(13)に内蔵されたばねの付勢力により、脚柱(３)の固定筒(11)及びピストンロッド(15)に対して、シリンダ(14)、支基(４)、可動筒(12)、座(７)及び背凭れ(５)等が上昇させられる。
【００２９】
座(７)等が所望の高さに達した状態で、操作レバー(21)から手を離すと、作動レバー(25)は、引張りコイルばね(32)の付勢力により、後限まで移動させられ、作動ピン(16)が真上を向くように起立すると、ガススプリング(13)は元のロック状態に戻り、座(７)等はその高さで固定される。
【００３０】
このとき、操作レバー(21)も、引張りコイルばね(32)の付勢力により、図３等に示す元の位置まで復帰させられる。
【００３１】
なお、上述の実施形態では、操作レバー(21)を設けて、それを作動レバー(25)と連係させたが、操作レバー(21)を省略して、作動レバー(25)の前端部を支基(４)の前方より突出させ、折曲片(35)を把手として、これを直接手により前方に引くようにすることもできる。
【００３２】
また、上述の実施形態では、支基(４)の上面中央に障害物があるため、作動レバー(25)を左斜め前方に向けて配設したが、このような障害物がない場合は、前方中央を向くように配設することもできる。この場合は、上述の長孔(24)は、筒軸(22)の軸線方向に向ければよい。
【００３３】
さらに、作動ピン(16)は、３６０度いずれの方向へ傾倒させても作動するので、作動レバー(25)を横向きその他の方向を向くように配設してもよい。
【００３４】
【発明の効果】
本発明によると、次のような効果を奏することができる。
(ａ)  請求項１および２記載の発明によると、ガススプリングの操作手段を、著しく薄型化できるので、上下方向の間隔が制限されている椅子の座の下方の空間に、他の部品の妨げとなることなく、好適に配設することができる。
【００３５】
(ｂ)  また、請求項１および２記載の発明によると、作動レバーを支基の上面に沿って移動させるので、作動レバーのほぼ板厚分のスペースだけあれば、ガススプリングの操作手段を座の下方に配設することができるとともに、支基の上面によって作動レバーを簡単に案内することができる。
【００３６】
(ｃ)  請求項２記載の発明によると、操作レバーと作動レバーとを簡単な構造で互いに連係させることができ、製造コストを低減することができる。
【００３７】
(ｄ)  請求項３記載の発明によると、支基の上面中央に障害物がある場合でも、それを迂回する特別な手段を設けることなく、細長い板状の作動レバーを平面視において斜めに配設して、その前端を操作レバーに連係させることができ、しかも操作レバーの回動操作に支障を来すことがない。
【００３８】
(ｅ)  請求項４記載の発明によると、作動レバーとガススプリングの操作部との連係をきわめて簡単な構造で果たすことができるとともに、装置全体の薄型化に寄与することができる。
【００３９】
(ｆ)  請求項５記載の発明によると、作動レバーの復帰用のばねにより、ガススプリングの操作部の復帰を助勢することができるとともに、操作手段側に復帰用のばねを設ける必要をなくすことができる。また、この復帰用のばねを、支基の上面に沿って、体裁よく設けることができる。
【図面の簡単な説明】
【図１】  本発明の一実施形態を備える椅子の側面図である。
【図２】  図１のII−II線に沿う横断平面図である。
【図３】  図２のIII−III線に沿う拡大縦断側面図である。
【符号の説明】
(１)支持脚
(２)キャスタ
(３)脚柱
(４)支基
(4a)側壁
(4b)上壁
(５)背凭れ
(６)背杆
(6a)通孔
(７)座
(８)座受体
(９)支杆
(10)肘掛け
(11)固定筒
(12)可動筒
(13)ガススプリング
(14)シリンダ
(14a)テーパ部
(15)ピストンロッド
(16)作動ピン(操作部)
(17)テーパ孔
(18)ガイド筒
(19)(20)筒体
(21)操作レバー(操作手段)
(22)筒軸
(23)窓孔
(24)長孔
(25)作動レバー
(26)(27)長孔
(28)ワッシャ
(29)段付きねじ
(30)突片
(31)ピン
(32)引張りコイルばね
(33)ボス
(34)係合孔
(35)折曲片
【図１】
0004694685.tif 000002
【図２】
0004694685.tif 000003
【図３】
0004694685.tif 000004